(57)【特許請求の範囲】
【請求項１】
排ガス浄化部を備えた排ガス流路を介して、炭化水素を燃焼させて二酸化炭素を含む排ガスを温室に供給する内燃機関の駆動制御方法であって、
前記温室内の二酸化炭素濃度が温室内に求められる二酸化炭素濃度範囲よりも低く、かつ、前記温室内の窒素酸化物濃度が温室内に求められる窒素酸化物濃度範囲以上のときは、前記内燃機関をストイキ燃焼駆動するとともに、前記内燃機関からの排ガスを浄化する三元触媒を設けた排ガス浄化部を備えた排ガス流路を介して温室に供給する一方、
前記温室内の二酸化炭素濃度が温室内に求められる二酸化炭素濃度範囲よりも低く、かつ、前記温室内の窒素酸化物濃度が温室内に求められる窒素酸化物濃度範囲よりも低いときは、前記内燃機関を希薄燃焼駆動するとともに、前記内燃機関からの一酸化炭素を除去する酸化触媒を設けた排ガス浄化部を備えた排ガス流路を介して温室に供給する内燃機関の駆動制御方法。
【請求項２】
前記排ガス流路に、前記温室内の二酸化炭素濃度が温室内に求められる二酸化炭素濃度範囲よりも低くない場合において前記内燃機関を希薄燃焼駆動したときの排ガスを、温室内以外の空間に放出する排気部を設けた請求項１に記載の内燃機関の駆動制御方法。
【請求項３】
炭化水素を燃料とする内燃機関から排出される二酸化炭素を含む排ガスを、温室空間の植物に供給する排ガス流路を備えた温室栽培システムであって、
前記内燃機関が希薄燃焼運転とストイキ燃焼運転とに切替可能に構成されるとともに、
前記排ガス流路に希薄燃焼排ガス流路と、ストイキ燃焼排ガス流路とを設け、
前記内燃機関の燃焼運転状態に応じて前記希薄燃焼排ガス流路と、ストイキ燃焼排ガス流路とを切り換える排ガス流路切替部を設け、
前記希薄燃焼排ガス流路に酸化触媒を設けた排ガス浄化部を備え、ストイキ燃焼排ガス流路に三元触媒を設けた排ガス浄化部を備え、
前記温室に二酸化炭素濃度検知部および窒素酸化物検知部を設けるとともに、
前記二酸化炭素濃度検知部および窒素酸化物検知部からの検知出力に基き、前記温室内の二酸化炭素濃度が温室内に求められる二酸化炭素濃度範囲よりも低く、かつ、前記温室内の窒素酸化物濃度が温室内に求められる窒素酸化物濃度範囲以上のときは、前記内燃機関をストイキ燃焼駆動するとともに、それ以外のときは、前記内燃機関を希薄燃焼駆動するように切り替える切替制御部を設けた温室栽培システム。
【請求項４】
前記内燃機関からの熱を温室内の加熱に用いる請求項３に記載の温室栽培システム。
【請求項５】
前記内燃機関で発電を行うとともに、前記発電で得られる電力を前記温室で使用する請求項３または４に記載の温室栽培システム。
【発明の詳細な説明】
【技術分野】
【０００１】
本発明は、排ガス浄化部を備えた排ガス流路を介して、炭化水素を燃焼させて二酸化炭素を含む排ガスを温室に供給する内燃機関の駆動制御方法および炭化水素を燃料とする燃焼装置から排出される二酸化炭素を含む排ガスを温室空間の植物に供給する排ガス流路を備えた温室栽培システムに関する。
【背景技術】
【０００２】
近年、コジェネレーションが広く採用されるようになってきており、これによりエネルギー効率が向上して、地球温暖化の原因となる二酸化炭素の排出量の低減が図られている。コジェネレーションは、発電時に発生する電力および熱をエネルギー源として利用するものであるが、更に、この時に生成され従来は廃棄されていた二酸化炭素を有効利用するものとして、トリジェネレーションという形態がある。
【０００３】
前記排ガスは、重油や灯油のほかＬＰガスや都市ガス等の炭化水素燃料を燃焼させたものであるから、大気中よりも高濃度の二酸化炭素を含んでいる。トリジェネレーションは、ガスエンジンをはじめとする内燃機関等から排出される排ガスを浄化して、排ガス中に含まれる二酸化炭素を温室内で光合成の原料の一つとして積極的に植物の育成促進等の目的で温室栽培システム等に利用するものである（特許文献１、２参照）。
【先行技術文献】
【特許文献】
【０００４】
【特許文献１】特開２００８−２０１６４９号公報
【特許文献２】特開２００４−３４４１５４号公報
【発明の概要】
【発明が解決しようとする課題】
【０００５】
温室内の植物の好適な育成環境としては、ある程度高濃度（７００ｐｐｍ〜１５００ｐｐｍ）の二酸化炭素を有するほうが促成栽培等の観点から好ましいといわれている。しかし、内燃機関の駆動効率を良くすべく、希薄燃焼で駆動して、発生する排ガスを温室に供給しようとすると、その希薄燃焼では排出量が少ないものの、排ガスには、植物の成長に好ましくない許容限度を超える窒素酸化物が含有されてしまうという問題があり、排ガスからこのような窒素酸化物を除去するために、触媒を用いても、前記窒素酸化物濃度を十分減少させることが困難であった。また、前記窒素酸化物濃度を十分減少させることを優先して、前記内燃機関をストイキ燃焼駆動すると、排ガス中に含まれる窒素酸化物を三元触媒によって除去することができるものの、内燃機関の駆動効率が低下してしまうという問題があり、内燃機関の駆動効率の向上と、窒素酸化物濃度の低減とを両立させることは困難である実情であった。
【０００６】
本発明の目的は、上記実情に鑑み、内燃機関の駆動効率を高く維持しつつ、温室に供給される排ガス中の窒素酸化物濃度を低減させることができる内燃機関の駆動制御方法および温室栽培システムを提供することにある。
【課題を解決するための手段】
【０００７】
〔構成〕
上記目的を達成するための本発明の内燃機関の駆動制御方法の特徴構成は、排ガス浄化部を備えた排ガス流路を介して、炭化水素を燃焼させて二酸化炭素を含む排ガスを温室に供給する内燃機関の駆動制御方法として、
前記温室内の二酸化炭素濃度が温室内に求められる二酸化炭素濃度範囲よりも低く、かつ、前記温室内の窒素酸化物濃度が温室内に求められる窒素酸化物濃度範囲以上のときは、前記内燃機関をストイキ燃焼駆動するとともに、前記内燃機関からの排ガスを浄化する三元触媒を設けた排ガス浄化部を備えた排ガス流路を介して温室に供給する一方、
前記温室内の二酸化炭素濃度が温室内に求められる二酸化炭素濃度範囲よりも低く、かつ、前記温室内の窒素酸化物濃度が温室内に求められる窒素酸化物濃度範囲よりも低いときは、前記内燃機関を希薄燃焼駆動するとともに、前記内燃機関からの一酸化炭素を除去する酸化触媒を設けた排ガス浄化部を備えた排ガス流路を介して温室に供給する点にある。
【０００８】
〔作用効果〕
つまり、内燃機関を駆動する場合に、ストイキ燃焼駆動させると、窒素酸化物の濃度が低い排ガスを供給することができ、逆に、希薄燃焼駆動すると、温室に導入される排ガス中の窒素酸化物の濃度は上昇してしまうが、効率の良い駆動状態で内燃機関を駆動することができる。
【０００９】
温室では、植物の二酸化炭素消費や、温室内から温室外への不可避的な換気条件から二酸化炭素濃度が低下する。そして、二酸化炭素濃度が低下した場合、前記内燃機関の排ガスを導入することにより前記温室内の二酸化炭素濃度を上昇させることができる。この際、前記温室内の窒素酸化物濃度も上昇するが、その上昇度が低い場合、やはり、前記内燃機関は駆動効率の高い駆動方法で駆動することが好ましく、即ち、希薄燃焼で駆動することができる。
【００１０】
さらに、二酸化炭素の供給を行う場合に、前記温室内の窒素酸化物濃度が上昇してしまうと、前記温室内の窒素酸化物濃度が上昇して植物に悪影響を与え始めることになるので、窒素酸化物濃度の低い排ガスを供給することが好ましい。そこで、前記内燃機関としては、このような環境になった場合にはじめて、駆動効率を犠牲にしても、排ガス中の窒素酸化物濃度が低くなるように運転すればよい。即ち、このとき内燃機関をストイキ燃焼駆動する。
【００１１】
このように、前記温室内の二酸化炭素濃度が温室内に求められる二酸化炭素濃度範囲よりも低く、かつ、前記温室内の窒素酸化物濃度が温室内に求められる窒素酸化物濃度範囲以上のときにのみ、内燃機関の駆動方法を、ストイキ燃焼駆動とし、前記温室内の二酸化炭素濃度が温室内に求められる二酸化炭素濃度範囲よりも低く、かつ、前記温室内の窒素酸化物濃度が温室内に求められる窒素酸化物濃度範囲よりも低いときに、希薄燃焼駆動させることにより、運転効率低下を最小限に抑えつつ、温室に供給される排ガスの窒素酸化物濃度を低く抑えた内燃機関の運転方法を実現することができる。
【００１２】
尚、内燃機関の各燃焼状態において、排ガス中の窒素酸化物濃度は、温室に導入されるまでに可能な範囲で低減させられることが好ましく、現実的にも触媒燃焼、吸着等の作用により窒素酸化物は低減させられる。しかし、一般に、希薄燃焼により発生する排ガスからの窒素酸化物除去のほうが、ストイキ燃焼により発生する排ガスからの窒素酸化物除去を考える場合よりも、適用可能な窒素酸化物除去手段が限られ、能力的にも低くなりがちである。そのため、排ガス中の窒素酸化物の低減処理を行ったとしても、やはり、内燃機関をストイキ燃焼させた場合のほうが希薄燃焼させた場合よりも窒素酸化物の濃度の低い排ガスを供給することができる。
【００１４】
また、前記内燃機関の燃焼駆動状態に応じてその内燃機関から発生する排ガスをそれぞれの燃焼状態に適した排ガス浄化触媒の備えられた排ガス流路に流通させているから、ストイキ燃焼ではその排ガスから窒素酸化物、一酸化炭素を除去することができ、希薄燃焼ではその排ガスから一酸化炭素を除去することができる。また、希薄燃焼はもともと排ガス中に含まれる窒素酸化物の濃度が比較的低い燃焼方式である。そのため、前記内燃機関のいずれの燃焼駆動状態であっても、前記温室に供給される排ガスは、窒素酸化物の濃度を十分に低く抑えたものとなっており、各運転駆動状態において温室内の窒素酸化物濃度が上昇しにくい環境での排ガス供給が行える。
【００１５】
〔構成〕
また、前記排ガス流路に、前記温室内の二酸化炭素濃度が温室内に求められる二酸化炭素濃度範囲よりも低くない場合において前記内燃機関を希薄燃焼駆動したときの排ガスを、温室内以外の空間に放出する排気部を設けてあることが好ましい。
【００１６】
〔作用効果〕
上述の構成において、温室では、適正濃度以下の二酸化炭素濃度になったときに内燃機関からの排ガスを供給すると、二酸化炭素濃度を上昇させ、適正値にすることができ、二酸化炭素濃度が適正値よりも上昇した場合、前記排ガスの供給を停止すれば、二酸化炭素の消費に伴い二酸化炭素の濃度が適正値に回復する。
【００１７】
したがって、前記温室内の二酸化炭素濃度が温室内に求められる二酸化炭素濃度範囲より低くない、十分量の二酸化炭素が温室内に存在するときは、前記温室内には排ガスを導入する必要は無いから、前記内燃機関は駆動効率の高い駆動方法で駆動するとともに排ガスを温室内以外の空間に放出することが好ましく、即ち、内燃機関は、希薄燃焼駆動するとともに、排ガスを排気部から放出することが好ましい。このように内燃機関を運転駆動することにより、前記内燃機関を高効率で運転しつつ、前記温室内の二酸化炭素濃度を適正濃度範囲に維持することができる。
【００１８】
〔構成〕
また、本発明の温室栽培システムの特徴構成は、炭化水素を燃料とする内燃機関から排出される二酸化炭素を含む排ガスを、温室空間の植物に供給する排ガス流路を備えた温室栽培システムであって、
前記内燃機関が希薄燃焼運転とストイキ燃焼運転とに切替可能に構成されるとともに、
前記排ガス流路に希薄燃焼排ガス流路と、ストイキ燃焼排ガス流路とを設け、
前記内燃機関の燃焼運転状態に応じて前記希薄燃焼排ガス流路と、ストイキ燃焼排ガス流路とを切り換える排ガス流路切替部を設け、
前記希薄燃焼排ガス流路に酸化触媒を設けた排ガス浄化部を備え、ストイキ燃焼排ガス流路に三元触媒を設けた排ガス浄化部を備え、
前記温室に二酸化炭素濃度検知部および窒素酸化物検知部を設けるとともに、
前記二酸化炭素濃度検知部および窒素酸化物検知部からの検知出力に基き、前記温室内の二酸化炭素濃度が温室内に求められる二酸化炭素濃度範囲よりも低く、かつ、前記温室内の窒素酸化物濃度が温室内に求められる窒素酸化物濃度範囲以上のときは、前記内燃機関をストイキ燃焼駆動するとともに、それ以外のときは、前記内燃機関を希薄燃焼駆動するように切り替える切替制御部を設けた点にある。
【００１９】
〔作用効果〕
炭化水素を燃料とする内燃機関から排出される二酸化炭素を含む排ガスを、温室空間の植物に供給する排ガス流路を備えるから、排ガス中の二酸化炭素を供給して、温室内を高濃度に二酸化炭素を含む環境として植物を栽培することができる。
【００２０】
このとき、排ガスを供給する際に、前記内燃機関が希薄燃焼運転とストイキ燃焼運転とに切替可能に構成されると、前記内燃機関は、運転効率の高い希薄燃焼運転と、排ガスを比較的清浄にできる、窒素酸化物をほとんど含まないストイキ燃焼運転とに切り換えることができ、排ガスの供給ニーズに応じて前記内燃機関の運転状態を切り換えることができる。
【００２１】
また、前記排ガス流路に希薄燃焼排ガス流路と、ストイキ燃焼排ガス流路とを設けて前記内燃機関の燃焼運転状態に応じて前記希薄燃焼排ガス流路と、ストイキ燃焼排ガス流路とを切り換える排ガス流路切替部を設けることによって、前記内燃機関の各運転駆動状態において、発生する排ガスをそれぞれ別の流路を介して温室に供給することができ、前記希薄燃焼排ガス流路に酸化触媒を設けた排ガス浄化部を備え、ストイキ燃焼排ガス流路に三元触媒を設けた排ガス浄化部を備えることによって、前記内燃機関の運転駆動状態に応じて適した触媒により、ストイキ燃焼では排ガスから窒素酸化物や一酸化炭素の除去を行い、希薄燃焼では一酸化炭素の除去を行う。さらに希薄燃焼はもともと排ガス中に含まれる窒素酸化物の濃度が比較的低い燃焼方式であるので、前記内燃機関の各運転駆動状態において窒素酸化物の濃度の低い排ガスを温室に供給することができる。
【００２２】
さらに、前記温室に二酸化炭素濃度検知部および窒素酸化物検知部を設けるとともに、前記二酸化炭素濃度検知部および窒素酸化物検知部からの検知出力に基き、前記温室内の二酸化炭素濃度が温室内に求められる二酸化炭素濃度範囲よりも低く、かつ、前記温室内の窒素酸化物濃度が温室内に求められる窒素酸化物濃度範囲以上のときは、前記内燃機関をストイキ燃焼駆動するとともに、それ以外のときは、前記内燃機関を希薄燃焼駆動するように切り替える切替制御部を設けてあると、上記内燃機関の駆動制御方法が適切に行え、内燃機関の駆動状態を可能な限り高効率に維持しながら、温室内の窒素酸化物濃度を低く維持することができる。
【００２３】
〔構成〕
尚、前記内燃機関からの熱を温室内の加熱に用いても良く、
前記内燃機関で発電を行うとともに、前記発電で得られる電力を前記温室で使用しても良い。
【００２４】
〔作用効果〕
つまり、これらの構成を採用すると内燃機関の消費するエネルギーを二酸化炭素のみならず、熱や電力としても前記温室で利用することが出来るので、システム全体として独立して効率よくエネルギー利用が出来ることになった。
【発明の効果】
【００２５】
従って、前記温室空間内の植物育成条件を容易に適正に維持しつつ内燃機関の運転駆動状態を良好に制御することができるので、植物の育成条件の面からも、トリジェネレーションとしてエネルギーの有効利用の観点からも好適な温室栽培システムを提供することができるようになった。
【図面の簡単な説明】
【００２６】
【図１】温室栽培システムの概略図である。
【図２】温室栽培システムの栽培制御のフロー図である。
【発明を実施するための形態】
【００２７】
以下に、本発明の温室栽培システムを説明する。以下、本発明の一実施形態について図面に基づいて説明する。
【００２８】
本発明の温室栽培システムは、コジェネレーション装置１を温室２に備えて構成される。前記コジェネレーション装置１は、内燃機関の一例としてのガスエンジン１１に、発電機１２を設け、電力を生成するとともに、ガスエンジン１１から発生する排ガス１１ａを流通する排ガス流路１３、前記ガスエンジン１１および排ガス１１ａを冷却するエンジン冷却水１１ｂを流通させる冷却水流路１４を設け、前記ガスエンジン１１および排ガス１１ａから排ガス熱交換器１５により排熱を回収して熱を利用可能に構成している。また、前記ガスエンジン１１に対する燃料供給部１６には、ガスエンジン１１に供給される燃料と空気の比率を調整して前記ガスエンジン１１の燃焼駆動状態を変更制御自在にする燃料供給弁１６ａを備え、後述の制御装置３により流量制御自在に構成してある。
【００２９】
前記温室２は、温室空間２ａに植物を栽培する栽培部２１を備え、さらに前記栽培部２１に対する電力駆動の暖房装置２２ａ、換気装置２２ｂ、照明(植物育成の光源)等の電力消費機器２２を備え、前記発電機１２によって生成された電力によって、前記温室空間２ａを植物の生育に適した環境にすべく制御可能に構成する。また、温室２には前記ガスエンジン１１の排ガス流路１３が接続されており、前記ガスエンジン１１の駆動に伴い発生する排ガス１１ａ中の二酸化炭素を温室空間２ａ内に供給可能に構成してある。
【００３０】
また、前記温室空間２ａには、二酸化炭素濃度を検知する二酸化炭素検知部２３および、窒素酸化物濃度を検知する窒素酸化物検知部２４を設けてある。
【００３１】
前記ガスエンジン１１の排ガス流路１３は、流路切替部１７にて分岐して希薄燃焼排ガス流路１３Ａおよびストイキ燃焼排ガス流路１３Ｂを設けて構成され、ガスエンジン１１の運転状態に応じて前記排ガス流路１３を切り換えて排ガス１１ａを流通させられる構成としてある。前記希薄燃焼排ガス流路１３Ａには、酸化触媒を充填した排ガス浄化部１８Ａ、前記ストイキ燃焼排ガス流路１３Ｂには、三元触媒を充填した排ガス浄化部１８Ｂ（以下第一、第二排ガス浄化部と称する）を備え、前記ガスエンジン１１の各燃焼状態に応じて生成される排ガス１１ａを、その性状に対応して適した浄化触媒で排ガス浄化（１８Ａでは窒素酸化物と一酸化炭素、１８Ｂでは一酸化炭素を除去）することができるように構成する。さらに、各排ガス浄化部１８Ａ，１８Ｂの下流側には排ガス熱交換器１５を備え、前記両排ガス浄化部１８Ａ，１８Ｂを通過した高温の排ガス１１ａを、冷却水１１ｂと熱交換して、温室空間２ａに適した温度まで冷却するとともに、前記冷却水１１ｂに熱回収して、熱供給部２５としての前記栽培部２１に供給できる構成となっている。
【００３２】
二酸化炭素検知部２３および窒素酸化物検知部２４は、前記温室２空間内の二酸化炭素濃度および窒素酸化物濃度を検知して検知出力を制御装置３に伝達する。前記制御装置３では、前記二酸化炭素検知部２３および窒素酸化物検知部２４の出力に応じて燃料供給弁１６ａの開度を調節し、前記ガスエンジン１１の運転駆動状態を、希薄燃焼駆動とストイキ燃焼駆動とに切替駆動可能に構成してあるとともに、そのガスエンジン１１の駆動状態に従って、前記流路切替部１７を切り替え制御される。
【００３３】
前記ガスエンジン１１を希薄燃焼駆動すると、排ガス１１ａは、前記排ガス流路１３を流路切替部１７にて分岐して、前記希薄燃焼排ガス流路１３Ａを流れる。前記希薄燃焼排ガス流路１３Ａに流入した排ガス１１ａは、前記第一排ガス浄化部１８Ａで浄化されるとともに、前記排ガス熱交換器１５にて冷却水１１ｂと熱交換して冷却され、温室に達する。尚、後述のガスエンジン１１の燃焼駆動制御を行う際に、ガスエンジン１１を希薄燃焼駆動させた場合、排ガス１１ａを温室空間２ａに導入しない制御を行う場合があるが、このような場合、前記希薄燃焼排ガス流路１３Ａの排ガス熱交換器１５と温室２との間に設けられる排気部１９より、排ガス１１ａを外部に放出可能に構成してある。
【００３４】
また、前記ガスエンジン１１をストイキ燃焼駆動すると、排ガス１１ａは、前記排ガス流路１３を流路切替部１７にて分岐して、前記ストイキ燃焼排ガス流路１３Ｂを流れる。前記ストイキ燃焼排ガス流路１３Ｂに流入した排ガスは、前記第二排ガス浄化部１８Ｂで浄化されるとともに、前記排ガス熱交換器１５にて冷却水１１ｂと熱交換して冷却され、温室に達する。
【００３５】
上記ガスエンジン１１の燃焼駆動制御は、図２に示すフローに従って行われる。
【００３６】
すなわち、温室２に設けた二酸化炭素検知部２３からの二酸化炭素検知出力が、二酸化炭素濃度１５００ｐｐｍを超えている場合（＃１）、前記温室２には排ガス１１ａを導入する必要がなく、前記制御装置３は前記燃料供給弁１６ａを絞り空燃比を上げ、前記ガスエンジン１１は希薄燃焼駆動により高効率で駆動される（＃２）。また、排ガス１１ａは、前記排気部１９から外部に放出され、温室２内には導入されない。そのため、前記温室２内の二酸化炭素濃度はこれ以上上昇しない。
【００３７】
次に、前記温室２内の植物が光合成により二酸化炭素を消費するなどして、温室２内の二酸化炭素濃度が低下した場合、前記温室２には排ガス１１ａを導入する必要があるが、窒素酸化物濃度（＃４）が低ければ、前記制御装置３は前記ガスエンジン１１を、まだ希薄燃焼駆動し、前記制御装置３は前記燃料供給弁１６ａを絞り、空燃比を上げ、前記ガスエンジン１１は高効率で駆動される（＃５）とともに、希薄燃焼排ガス流路１３Ａを介して、温室２に排ガス１１ａが導入される（＃６）。
【００３８】
前記希薄燃焼排ガス路１３Ａから温室２に希薄燃焼排ガス１１ａを導入し続けると、希薄燃焼の排ガス中の窒素酸化物の濃度がもともと低いとはいえ、ストイキ燃焼の排ガスを排ガス浄化部１８Ｂで除去される窒素酸化物濃度に比べると濃度は高いので、温室２内の窒素酸化物濃度が徐々に上昇する。そこで、温室２内の前記窒素酸化物濃度が２ｐｐｍ以上になると（＃４）、前記制御装置３は、前記ガスエンジン１１をストイキ燃焼駆動に駆動状態を変更する（＃７）。即ち、前記制御装置３は、前記燃料供給弁１６ａを開き、空燃比を下げ、ガスエンジン１１の駆動状態を、発電効率は低下するが、排ガス１１ａ中の窒素酸化物濃度が低くなるように変更する。これにより前記ガスエンジン１１の排ガス１１ａは、ストイキ燃焼排ガス流路１３Ａを介して三元触媒の充填される第二排ガス浄化部１８Ｂに達し、窒素酸化物をほとんど含まない清浄な排ガスとして温室２に供給される（＃６）。従って、前記温室２では、二酸化炭素の供給を続けつつ、温室２内の窒素酸化物濃度を低下させる運転が行える。
【００３９】
尚、上記実例では、二酸化炭素濃度は、植物の促成栽培に適するといわれる７００ｐｐｍ〜１５００ｐｐｍになるよう前記温室２内を制御している。また、窒素酸化物濃度としては、植物の成長の妨げとならない２ｐｐｍ未満になるように制御される。これらの温室内に求められる管理数値は、植物の種類などに応じて適宜設定可能である。
【産業上の利用可能性】
【００４０】
本発明により、温室栽培システムの温室内環境の管理が、より的確かつきめ細かく行えるようになるとともに、内燃機関の運転駆動効率を高く維持できるので、少ない労力で、品質管理の行き届いた植物を、エネルギー効率よく生産できるようになった。
【符号の説明】
【００４１】
１８Ａ，１８Ｂ    排ガス浄化部
１３    排ガス流路
１１ａ  排ガス
２      温室
１１    内燃機関
【図１】
0005635802.tif 000002
【図２】
0005635802.tif 000003